【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
複数の受信器アンテナを有する通信装置での使用に適した、遅延スプレッド補償の方法であって、
送信信号に対応する信号要素を含むと共に対応する遅延スプレッドを有する個別のチャネルインパルス応答を経ており、それぞれが信号の各時間インデックスｎに対する複素同相／直交サンプル
2012516096.tif 000001
からなる複数（ＮRX）の信号（ＲＸ１、ＲＸ２）を、それぞれ個別のアンテナを介して受信するステップ（３１０、４１０）と、
前記チャネルインパルス応答の各々の推定値を決定するステップ（３２０、４２０）と、
前記チャネルインパルス応答の前記推定値に基づいて事後符号化行列（Ｍ）を計算するステップ（３４０、４４０）と、
少なくとも第１の遅延スプレッド補償信号
2012516096.tif 000002
を形成するために、前記事後符号化行列（Ｍ）を用いて、
2012516096.tif 000003
を時間インデックスｎに対する前記複数（ＮRX）の信号（ＲＸ１、ＲＸ２）のそれぞれに対する前記複素同相／直交サンプルよりなるベクトルとしたときの、式
2012516096.tif 000004
を用いることにより、前記複数の受信信号を事後符号化するステップ（３５０、４５０）と、
を有することを特徴とする方法。
【請求項２】
それぞれのチャネルインパルス応答に対応する少なくとも１つの前記遅延スプレッドが、遅延スプレッド閾値より大きいかを判定するステップ（３３０、４３０）と、
少なくとも１つの前記遅延スプレッドが前記遅延スプレッド閾値より大きいと判定された場合に、
前記チャネルインパルス応答の前記推定値に基づいて、事後符号化行列を計算するステップ（３４０、４４０）と、
少なくとも第１の遅延スプレッド補償信号
2012516096.tif 000005
を形成するために、前記事後符号化行列を用いて、前記複数の受信信号を事後符号化するステップ（３５０、４５０）と、
を実行するステップと、
をさらに有することを特徴とする請求項１に記載の方法。
【請求項３】
前記少なくとも第１の遅延スプレッド補償信号は、前記受信信号と同数の複数の遅延スプレッド補償信号を含むことを特徴とする請求項１又は２に記載の方法。
【請求項４】
前記事後符号化行列は前記チャネルインパルス応答推定値の要素の値およびタイミングに基づいて計算されることを特徴とする請求項１に記載の方法。
【請求項５】
前記事後符号化行列（Ｍ）を計算するステップは、前記チャネルインパルス応答推定値（Ｈ12、Ｈ22）の前記要素を含む行列
2012516096.tif 000006
に対して、Ｈ2＝ＵＳＶHである場合の式
2012516096.tif 000007
を用いることにより、特異値分解を実行することを含むことを特徴とする請求項４に記載の方法。
【請求項６】
前記チャネルインパルス応答推定値の前記要素は、要素の少なくとも２つの部分集合に配置され、事後符号化行列は当該部分集合に基づいて計算されることを特徴とする請求項４に記載の方法。
【請求項７】
前記要素の少なくとも２つの部分集合の各々
2012516096.tif 000008
は個別の行列に配置され、前記事後符号化行列（Ｍ）を計算するステップは、Ｕ1とＵ2とを対応するＵ行列とし、Ｈはエルミート転置を表し、Ｕ1（：，１）はＵ1の第１列を意味し、Ｕ2（：，２）はＵ2の第２列を意味する時の、Ｍ＝［Ｕ1（：，２），Ｕ2（：，２）］を用いることにより、前記個別の行列のそれぞれに対して特異値分解を実行することを含むことを特徴とする請求項６に記載の方法。
【請求項８】
前記送信信号は直交周波数分割変調信号であることを特徴とする請求項１から７のいずれか１項に記載の方法。
【請求項９】
前記遅延スプレッド閾値は、前記直交周波数分割変調信号のサイクリックプレフィックス長に対応することを特徴とする請求項２に従属する請求項８に記載の方法。
【請求項１０】
前記チャネルインパルス応答推定値の前記要素は２つの部分集合（１１０、１２０）に配置され、第１の部分集合（１１０）は前記直交周波数分割変調信号のサイクリックプレフィックスの範囲内にある要素を含み、第２の部分集合（１２０）は残りの要素を含む、ことを特徴とする請求項６に従属する請求項８に記載の方法。
【請求項１１】
少なくとも第１の処理された遅延スプレッド補償信号を形成するために、前記少なくとも第１の遅延スプレッド補償信号を処理するステップ（３６０、４６０）をさらに有し、
前記少なくとも第１の遅延スプレッド補償信号を処理する前記ステップは、前記少なくとも第１の遅延スプレッド補償信号にフーリエ変換を適用すること（４６０）を含む、
ことを特徴とする請求項８に記載の方法。
【請求項１２】
少なくとも第１の処理された遅延スプレッド補償信号を形成するために、前記少なくとも第１の遅延スプレッド補償信号を処理するステップ（３６０、４６０）をさらに有し、
前記少なくとも第１の遅延スプレッド補償信号を処理する前記ステップは、
前記複数の遅延スプレッド補償信号の各々に関してフーリエ変換ウィンドウの位置を決めるステップ（４５５）と、
それぞれの前記フーリエ変換ウィンドウの前記位置に基づいて、前記複数の遅延スプレッド補償信号のそれぞれにフーリエ変換を適用するステップ（４６０）と、
を有し、
前記フーリエ変換ウィンドウのそれぞれは、対応する遅延スプレッドが補償されたチャネルインパルス応答に基づいて位置が決定される、
ことを特徴とする請求項３に従属する請求項８に記載の方法。
【請求項１３】
前記送信信号は符号分割多元接続信号または広帯域符号分割多元接続信号であることを特徴とする請求項１から７のいずれか１項に記載の方法。
【請求項１４】
少なくとも第１の処理された遅延スプレッド補償信号を形成するために、前記少なくとも第１の遅延スプレッド補償信号を処理するステップ（３６０、４６０）をさらに備え、
前記少なくとも第１の遅延スプレッド補償信号を処理するステップは、
ＲＡＫＥ処理を実行するステップ、
一般化ＲＡＫＥ処理を実行するステップ、
チップ等化を実行するステップ
の少なくとも１つを含む、
ことを特徴とする請求項１３に記載の方法。
【請求項１５】
プログラム命令を有すると共に通信装置のデータ処理部にロード可能なコンピュータプログラムを有するコンピュータ可読媒体であって、
前記通信装置は、複数の受信器アンテナを備え、送信信号に対応する信号要素を含むと共に対応する遅延スプレッドを有する個別のチャネルインパルス応答を経ており、それぞれが信号の各時間インデックスｎに対する複素同相／直交サンプル
2012516096.tif 000009
からなる複数（ＮRX）の信号（ＲＸ１、ＲＸ２）を、それぞれ個別のアンテナを介して受信するように適合され、
前記コンピュータプログラムは、前記コンピュータプログラムが前記データ処理部で実行される場合、
前記チャネルインパルス応答の各々の推定値を決定するステップと、
前記チャネルインパルス応答の前記推定値に基づいて事後符号化行列（Ｍ）を計算するステップと、
少なくとも第１の遅延スプレッド補償信号
2012516096.tif 000010
を形成するために、前記事後符号化行列（Ｍ）を用いて、
2012516096.tif 000011
を時間インデックスｎに対する前記複数（ＮRX）の信号（ＲＸ１、ＲＸ２）のそれぞれに対する前記複素同相／直交サンプルよりなるベクトルとしたときの、式
2012516096.tif 000012
を用いることにより、前記複数の受信信号を事後符号化するステップと、
の少なくとも１つを前記データ処理部に実行させる、
ことを特徴とするコンピュータ可読媒体。
【請求項１６】
複数の受信器アンテナ（５０１、５０２）を有する通信装置に対する、遅延スプレッド補償の処理装置であって、
送信信号に対応する信号要素を含むと共に対応する遅延スプレッドを有する個別のチャネルインパルス応答を経ており、それぞれが信号の各時間インデックスｎに対する複素同相／直交サンプル
2012516096.tif 000013
からなる複数（ＮRX）の信号（ＲＸ１、ＲＸ２）を、それぞれ個別のアンテナを介して受信する１以上の受信器（２１１、２１２、５１０、５１１、５２０、５２１）と、
前記チャネルインパルス応答の各々の推定値を決定する１以上のチャネル推定器（５８１、５８２、５４１）と、
前記チャネルインパルス応答の前記推定値に基づいて事後符号化行列（Ｍ）を計算する計算回路（２２０、５３０、５３１）と、
少なくとも第１の遅延スプレッド補償信号
2012516096.tif 000014
を形成するために、前記事後符号化行列（Ｍ）を用いて、
2012516096.tif 000015
を時間インデックスｎに対する前記複数（ＮRX）の信号（ＲＸ１、ＲＸ２）のそれぞれに対する前記複素同相／直交サンプルよりなるベクトルとしたときの、式
2012516096.tif 000016
を用いることにより、前記複数の受信信号を事後符号化する事後符号化回路（２２０、５３０、５３１）と、
を有することを特徴とする装置。
【請求項１７】
それぞれのチャネルインパルス応答に対応する少なくとも１つの前記遅延スプレッドが遅延スプレッド閾値より大きいかを判定する判定回路（５４０、５４１）をさらに備え、
少なくとも１つの前記遅延スプレッドが前記遅延スプレッド閾値より大きい場合にのみ、前記計算回路と前記事後符号化回路とが動作可能である、
ことを特徴とする請求項１６に記載の装置。
【請求項１８】
前記少なくとも第１の遅延スプレッド補償信号は、前記受信信号と同数の複数の遅延スプレッド補償信号を含むことを特徴とする請求項１６又は１７に記載の装置。
【請求項１９】
前記送信信号は直交周波数分割変調信号であることを特徴とする請求項１６から１８のいずれか１項に記載の装置。
【請求項２０】
少なくとも第１の処理された遅延スプレッド補償信号を形成するために、前記少なくとも第１の遅延スプレッド補償信号を処理する処理回路をさらに備え、
前記処理回路は、少なくとも１つのフーリエ変換部（５７１、５７２、５７３、５７４）を含む、
ことを特徴とする請求項１９に記載の装置。
【請求項２１】
少なくとも第１の処理された遅延スプレッド補償信号を形成するために、前記少なくとも第１の遅延スプレッド補償信号を処理する処理回路をさらに有し、
前記処理回路は、
前記複数の遅延スプレッド補償信号の各々に関してそれぞれのフーリエ変換ウィンドウの位置を決めるウィンドウ配置回路（５６１、５６２、５６３、５６４）と、
それぞれの前記フーリエ変換ウィンドウの前記位置に基づいて、前記複数の遅延スプレッド補償信号のそれぞれにフーリエ変換を適用する少なくとも１つのフーリエ変換部（５７１、５７２、５７３、５７４）と、
を備え、
前記フーリエ変換ウィンドウのそれぞれは、対応する遅延スプレッドが補償されたチャネルインパルス応答に基づいて位置が決定される、
ことを特徴とする請求項１８に従属する請求項２０に記載の装置。
【請求項２２】
前記送信信号は符号分割多元接続信号または広帯域符号分割多元接続信号であることを特徴とする請求項１６から１９のいずれか１項に記載の装置。
【請求項２３】
少なくとも第１の処理された遅延スプレッド補償信号を形成するために、前記少なくとも第１の遅延スプレッド補償信号を処理する処理回路をさらに備え、
前記処理回路は、
ＲＡＫＥ処理回路、
一般化ＲＡＫＥ処理回路、
チップ等化器
の少なくとも１つを備える、
ことを特徴とする請求項２２に記載の装置。
【請求項２４】
請求項１６から２３のいずれか１項に記載の装置を備える通信装置（８００）。
【手続補正２】
【補正対象書類名】明細書
【補正対象項目名】００７２
【補正方法】変更
【補正の内容】
【００７２】
事後符号化（例えばステップ３５０および４５０）は、いくつかの実施形態において、受信されたＩＱ（同相／直交）サンプルＹnと事後符号化行列Ｍとの行列積
2012516096.tif 000017
を含むように適合されてもよい。なお、
2012516096.tif 000018
は、ＮRX本のＲＸブランチおよび時間インデックスｎにおける複素ＩＱサンプルのベクトルである。
【手続補正３】
【補正対象書類名】明細書
【補正対象項目名】００７３
【補正方法】変更
【補正の内容】
【００７３】
事後符号化（例えばステップ３５０および４５０）は、いくつかの実施形態において、受信されたＩＱ（同相／直交）サンプルＹnの他次元フィルタＦ、例えば
2012516096.tif 000019
を含むように適合されてもよい。ただし、
2012516096.tif 000020
である。